【事件の表示】
　特願２００３−１４４０７９「磁気ヘッドスライダアセンブリおよびその製造方法」拒絶査定不服審判事件〔平成１５年１１月２８日出願公開、特開２００３−３３８０１０〕について、次のとおり審決する。
【結　論】
　本件審判の請求は、成り立たない。
【理　由】
１．手続の経緯・本願発明　
　
　本願は、平成１５年５月２１日（パリ条約による優先権主張２００２年５月２１日、アメリカ合衆国）を出願日としたものであって、その請求項１０に係る発明は、平成２２年１０月１日付け手続補正書の特許請求の範囲の請求項１０に記載された事項により特定される次のとおりのものである。
　
「【請求項１０】　下部磁極片と、上部磁極チップと、ヨークと、前記下部磁極片と前記ヨークとの間に配設された誘導コイルとを有する記録素子を含む磁気ヘッドと、
　エアベアリング面よりも後退した位置に、前記ヨークの上面の少なくとも一部を覆うと共にそのヨークと熱伝導するように配設された電気伝導性のヒートシンク層と、
　このヒートシンク層を覆うように配設された絶縁性のオーバーコート層と
　を備えたことを特徴とする磁気ヘッドスライダアセンブリ。」（以下「本願発明」という。）
　
２．引用例及びその記載
　
　これに対し、当審で通知した平成２２年３月３１日付けの拒絶理由に引用した、本願の優先権主張の日前に頒布された刊行物である実願平１−９１１６号（実開平２−１０１３０８号）のマイクロフィルム（平成２年８月１３日公開、以下「引用例１」という。）には、図面と共に、以下の記載がある。（なお、下線は当審で付与した。）
　
（１）「
基板上に形成された下部磁気コアと、該下部磁気コア上に形成された導電性コイルと、該導電性コイルの一部を絶縁層をかいして被覆し、前記下部磁気コア上に形成された上部磁気コアとからなる薄膜磁気ヘッドにおいて、コイル形成領域の上部全体に熱伝導のよい金属からなる冷却層を形成し
　
（２）「本考案は、
磁気記録再生装置に設けられて、磁気媒体に対して情報の記録再生を行う薄膜磁気ヘッド
（ロ）従来技術
　従来の薄膜磁気ヘッドは、第４図および第５図に示すように、薄膜磁気ヘッド基板上の下部磁気コア層２と上部磁気コア層３との間に絶縁層４をかいしてコイル５が形成されている。
上部磁気コア層３の上は、アルミナ膜等の保護層９を数十μｍの厚みに積層し、保護膜としている
　
（３）「
従来の薄膜磁気ヘッドでは、コイルの発熱を放散するための特別の工夫はなされていない。熱の放散は、主に保護膜絶縁膜の上面とコイルの端子部分１０を通して行われてきた
　
（４）「
第3図（Ａ）は、従来の磁気ヘッドにおいて、基板１上に下部磁気コア２を形成し、その上に層間絶縁膜４、コイル４，上部磁気コア３までを形成した
　
本考案の場合、第3図（Ｂ）に示すように、上部磁気コア３を形成後、コイル端子部分以外の所に薄く絶縁膜６をスパッタリング等で堆積させている。そして、第1図および第2図に示すように、浮上面となる磁極先端部を除きコイル領域上部全体に銅等の熱伝導の優れた金属をレジストでパターンを形成後メッキ等または、スパッタリング等により埋積して冷却層8を形成する
　スパッタリング後、冷却膜８およびコイルの端子電極が露出するまで、研磨すれば、第1図のような断面構造の薄膜磁気ヘッドが得られる。
　上記の構成によると、
薄膜磁気ヘッドのコイル５からの発熱は、上部磁気コア３、冷却層８を通じて放散される。冷却層８をコイル５の前面に覆うことにより、コイルからの発熱を効率良く放散できる
　ただし、浮上面に冷却金属が直接露出すると腐食の問題が生じるので、浮上面は、冷却用金属が露出しないように保護膜９で被覆する。」（明細書５頁１行〜６頁１０行）
　
　上記摘示事項（１）ないし（４）及び図面の記載を総合勘案すると、引用例１には次の発明（以下「引用発明」という。）が記載されているものと認める。
　
「基板上に形成された下部磁気コアと、該下部磁気コア上に形成された導電性コイルと、該導電性コイルの一部を絶縁層を介して被膜し、前記下部磁気コア上に形成された上部磁気コアとからなる薄膜磁気ヘッドにおいて、
　浮上面となる磁気先端部を除き導電性コイル領域上部に銅等の熱伝導の優れた金属の冷却層を形成した薄膜磁気ヘッド。」　
　
　同じく、本願の優先権主張の日前に頒布された刊行物である特開平１１−３５３６１４号公報（以下「引用例２」という。）には、図面と共に、以下の記載がある。（なお、下線は当審で付与した。）
　
（５）「【００１７】
本実施形態の薄膜磁気ヘッド１０は、絶縁基板７２上に
【００１８】ＭＲ感磁素子７８、下シールド層７４、リードギャップ層８０、上シールド層としての共通ポール層１２等により、ＭＲ
再生ヘッドが構成され
記録ヘッドが構成されている
上ポール層１４は、ＡＢＳ面７６に臨む先端部１４１と、先端部１４１に接続するヨーク部１４２とからなる
　
３．対比　
　
　引用発明と本願発明とを対比する。
（１）引用発明の「下部磁気コア」及び「導電性コイル」は、本願発明の「下部磁極片」及び「誘導コイル」にそれぞれ相当する。
（２）引用発明の「上部磁気コア」は、上部磁極に相当するものであり、本願発明の「上部磁極チップ」及び「ヨーク」を含むものである。
（３）引用発明の「下部磁気コア」「上部磁気コア」及び「誘導コイル」は、記録素子を形成していることは明らかである。
（４）引用発明の「浮上面」は、本願発明の「エアベアリング面」に相当する。
（５）引用発明の「冷却層」は、「銅等の熱伝導の優れた金属」であるから、本願発明の「電気伝導性のヒートシンク層」に相当し、そして、「浮上面となる磁気先端部を除」いて形成されるのであるから、浮上面よりも後退した位置に配設されている。
（６）引用発明の「薄膜磁気ヘッド」は、基板、即ちスライダ上に各種素子を形成したものであるから、本願発明の「磁気ヘッドスライダアセンブリ」に相当する。
　　　　
　そうすると、引用発明と本願発明は次の点で一致する。
　
＜一致点＞
「下部磁極片と、［上部磁極］と、前記下部磁極片と前記［上部磁極］との間に配設された誘導コイルとを有する記録素子と、
　エアベアリング面よりも後退した位置に、前記［上部磁極］の上面の少なくとも一部を覆うと共にその［上部磁極］と熱伝導するように配設された電気伝導性のヒートシンク層と　
　を備えた磁気ヘッドスライダアセンブリ。」の点。
　
　そして、次の点で相違する。
　
＜相違点＞
（ａ）本願発明は、［上部磁極］が「上部磁極チップ」と「ヨーク」とを含む構成であるのに対し、引用発明は上部磁気コアが分離された構成ではない点。
　
（ｂ）本願発明は、記録素子を含む磁気ヘッドであるのに対し、引用発明は、そのような磁気ヘッドの構成ではない点。
　
（ｃ）本願発明は、「ヒートシンク層を覆うように、絶縁性のオーバーコート層」を備えているのに対し、引用発明は、そのようなオーバーコート層を備えていない点。
　
４．判断
　
まず、相違点（ａ）と相違点（ｂ）とを併せて検討する。
　引用例２には、薄膜磁気ヘッドにおいて、上ポール層は、先端部と先端部に接続するヨーク部とを含む構成であること、また、再生ヘッドと記録ヘッドとを組み合わせた複合型とする技術が記載されている。そして、引用例２に記載された「上ポール層」「先端部」「ヨーク部」及び「記録ヘッド」は、本願発明の「上部磁極」「上部磁極チップ」「ヨーク」及び「記録素子」にそれぞれ相当している。
　そうすると、引用発明において、上部磁気コアを上部磁極チップとヨークとを含み、また、記録素子を含む磁気ヘッドの構成とすることは引用例２の上記技術から当業者が容易に想到できたものである。
　
次に、相違点（ｃ）について検討する。
　引用発明は、冷却層を保護膜表面に露出させることによりコイルからの熱を有効に放散させるものである。
　ところで、金属を直接外部に露出させていると金属表面から腐食が進行することは一般的技術常識であり、引用発明においても、冷却層として銅等の金属を用いるのであるから、冷却層を直接外部に露出させた場合、冷却層が腐食することは当業者なら当然予測しうることである。また、薄膜磁気ヘッドにおいては、磁気ヘッドを保護するための保護膜を積層することも周知（摘示事項（２））である。
　そうすると、引用発明において、上記技術常識に基づいて、銅等の熱伝導の優れた金属の冷却層の腐食を防止することを目的として「ヒートシンク層を覆うように、絶縁性のオーバーコート層」を備える構成とすることは当業者が適宜なし得る程度のものである。
　
　そして、上記各相違点を総合的に判断しても、本願発明が奏する効果は引用例１，２及び周知技術に基づいて、当業者が十分に予測できたものであって、格別なものとはいえない。
　
５．むすび
　以上のとおり、本願の請求項１０に係る発明は、引用例１、２に記載された発明及び周知技術に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。